(57)【要約】【課題】見る位置によって所定の図柄の画素パターンが現出したり、消滅したり、あるいは切り替わったりすることができる装飾表示体を提供することを目的とする。【解決手段】透明素材１０の表面に、複数の集光素２０ａを各集光素２０ａの並びに方向性を持たせて２次元的に配列して集光素パターン２０が形成されるとともに、透明素材１０の裏面に、複数の画素３１ａ、３２ａを各画素３１ａ、３２ａの並びに方向性を持たせて２次元的に配列して画素パターン３０が形成され、各画素３１ａ、３２ａの配列ピッチｑ１、ｑ２が各集光素２０ａの配列ピッチｐよりも大きくなるように集光素パターン２０と画素パターン３０とが形成される。各画素３１ａ、３２ａの配列ピッチｑ１、ｑ２を各集光素３０ａの配列ピッチｐの１０２％以下で配列して、各画素全体で所定の図柄Ａ１、Ａ２を構成することにより画素パターン３０が形成される。【選択図】図１
2017052200.tif 000002
【特許請求の範囲】
【請求項１】
シート状または板状の透明素材の表面に、複数の凸レンズ状の集光素を各集光素の並びに方向性を持たせて２次元的に配列して集光素パターンが形成されるとともに、前記透明素材の裏面に、複数の画素を各画素の並びに方向性を持たせて２次元的に配列して画素パターンが形成され、各画素の配列ピッチが各集光素の配列ピッチよりも大きくなるように前記集光素パターンと前記画素パターンとが形成されることにより、前記画素の拡大虚像を透明素材の上方に現出させる装飾表示体であって、 
前記各画素の配列ピッチを前記各集光素の配列ピッチの１０２％以下で配列して、前記各画素全体で所定の図柄を構成する画素パターンが形成されることを特徴とする装飾表示体。
【請求項２】
前記各画素中の複数の画素の配列ピッチを前記集光素の配列ピッチの１０２％以下で配列して、各画素全体で第１の所定の図柄を構成する第１の画素パターンが形成されるとともに、
前記各画素中の別の複数の画素の配列ピッチを前記集光素の配列ピッチの１０２％以下で配列して、各画素全体で第２の所定の図柄を構成する第２の画素パターンが形成される請求項１に記載の装飾表示体。
【請求項３】
前記第１の画素パターンの各画素と第２の画素パターンの各画素とを方向性を持たせて２次元的に交互に配列して、第１の画素パターンと第２の画素パターンの少なくとも一部が重なって形成される請求項２に記載の装飾表示体。
【請求項４】
前記第１の画素パターンの各画素と第２の画素パターンの各画素の直径が互いに異なるように形成される請求項２または請求項３に記載の装飾表示体。
【請求項５】
前記第１の画素パターンの各画素と第２の画素パターンの各画素の色が互いに異なるように形成される請求項２から請求項４のいずれかに記載の装飾表示体。
【請求項６】
前記各画素は、前記各集光素の配列ピッチの５％〜５０％の直径に形成されている請求項１から請求項５のいずれかに記載の装飾表示体。
【発明の詳細な説明】
【技術分野】
【０００１】
本発明は、構造体、遊技機やゲーム機の外層パネル、包装箱、広告体、飾り品、ディスプレイ装置、文房具、土産品、教材等の各種商品の装飾に適用される装飾表示体に関するものである。
【背景技術】
【０００２】
従来より、構造体、遊技機やゲーム機の外層パネル、包装箱、広告体、飾り品、ディスプレイ装置、文房具、土産品、教材等の各種商品の装飾として、画素の拡大虚像を各種商品の表面から上方または下方に現出させる装飾表示体を適用することが知られており、例えば下記特許文献１〜特許文献５に開示されている。
【０００３】
これらの装飾表示体は、シート状または板状の透明素材の表面に、複数の凸レンズ状の集光素を各集光素の並びに方向性を持たせて所定の配列ピッチで２次元的に配列して集光素パターンが形成されるとともに、上記透明素材の裏面に、着色された複数の画素を各画素の並びに集光素パターンと同じ方向性を持たせて各集光素の配列ピッチと異なる配列ピッチで２次元的に配列して画素パターンが形成される。これにより、見る位置に制限を受けることなく、揺らぎの少ない静的な状態で、画素の拡大虚像が透明素材の上方または下方に現出する。
【先行技術文献】
【特許文献】
【０００４】
【特許文献１】特許第４９０７０４９号
【特許文献２】特許第３４８８１７９号
【特許文献３】特開２００８−０１２８７０号
【特許文献４】特開２００３−２２６１００号
【特許文献５】特開２００３−２２６０９９号
【発明の概要】
【発明が解決しようとする課題】
【０００５】
しかしながら、従来の上記装飾表示体では、画素パターンに係る各画素の拡大虚像が透明素材の上方または下方にはっきりと現出するのみであり、見る位置によって画素パターンが現出したり、消滅したり、あるいは切り替わったりするものではなかった。
【０００６】
本発明は、上述の技術的背景に鑑みてなされたものであり、見る位置によって所定の図柄の画素パターンが現出したり、消滅したり、あるいは切り替わったりすることができる装飾表示体を提供することを目的とする。
【課題を解決するための手段】
【０００７】
本発明は、上記目的を達成するために、シート状または板状の透明素材の表面に、複数の凸レンズ状の集光素を各集光素の並びに方向性を持たせて２次元的に配列して集光素パターンが形成されるとともに、前記透明素材の裏面に、複数の画素を各画素の並びに方向性を持たせて２次元的に配列して画素パターンが形成され、各画素の配列ピッチが各集光素の配列ピッチよりも大きくなるように前記集光素パターンと前記画素パターンとが形成されることにより、前記画素の拡大虚像を透明素材の上方に現出させる装飾表示体であって、前記各画素の配列ピッチを前記各集光素の配列ピッチの１０２％以下で配列して、前記各画素全体で所定の図柄を構成する画素パターンが形成されることを特徴とする。なお、画素パターンからなる図柄は、図形、絵柄、文字、記号など、何らかの形状を構成するものをいう。
【０００８】
これによれば、画素の配列ピッチが集光素の配列ピッチに極めて近い１０２％以下に設定されているため、第１の画素パターンの領域の全体または大部分まで画素の拡大虚像が拡大されてぼやけた状態となり、見る角度によって画素パターンの領域に画素の拡大虚像が見えたり見えなかったりする状態となる。このため、観察者が本装飾表示体を表面側から角度を変えながら所定距離を隔てて見ると、画素パターンからなる所定の図柄が現出したり、消滅したりするように視認することができる。
【０００９】
また、前記各画素中の複数の画素の配列ピッチを前記集光素の配列ピッチの１０２％以下で配列して、各画素全体で第１の所定の図柄を構成する第１の画素パターンが形成されるとともに、前記各画素中の別の複数の画素の配列ピッチを前記集光素の配列ピッチの１０２％以下で配列して、各画素全体で第２の所定の図柄を構成する第２の画素パターンが形成されてもよい。これによれば、観察者が本装飾表示体を表面側から角度を変えながら所定距離を隔てて見ると、第１の画素パターンからなる第１の所定図柄と、第２の画素パターンからなる第２の所定図柄が装飾表示体の所定箇所で現出したり、消滅したりするように視認することができる。
【００１０】
また、前記第１の画素パターンの各画素と第２の画素パターンの各画素とを方向性を持たせて２次元的に交互に配列して、第１の画素パターンと第２の画素パターンの少なくとも一部が重なって形成されてもよい。これによれば、観察者が本装飾表示体を表面側から角度を変えながら所定距離を隔てて見ると、第１の画素パターンからなる第１の所定図柄と、第２の画素パターンからなる第２の所定図柄が切り替わるように視認することができる。
【００１１】
また、前記第１の画素パターンの各画素と第２の画素パターンの各画素の直径が互いに異なるように形成されてもよい。これによれば、直径が小さい画素の画素パターンからなる所定の図柄に比べて、直径が大きい画素の画素パターンからなる所定の図柄が優先的に現出するように視認することができる。
【００１２】
また、前記第１の画素パターンの各画素と第２の画素パターンの各画素の色が互いに異なるように形成されてもよい。これによれば、様々な色が付された画素パターンからなる所定の図柄が装飾表示体の所定箇所で現出したり、消滅したり、あるいは切り替わったりするように視認することができる。
【００１３】
また、前記各画素は、前記各集光素の配列ピッチの５％〜５０％の直径に形成されているのが好ましい。これによれば、複数の画素パターンの各画素を方向性を持たせて２次元的に確実に配列することができる。
【発明の効果】
【００１４】
本発明によれば、画素の配列ピッチが集光素の配列ピッチに極めて近い１０２％以下に設定されているため、第１の画素パターンの領域の全体または大部分まで画素の拡大虚像が拡大されてぼやけた状態となり、見る角度によって画素パターンの領域に画素の拡大虚像が見えたり見えなかったりする状態となる。このため、観察者が本装飾表示体を表面側から角度を変えながら所定距離を隔てて見ると、画素パターンからなる所定の図柄が現出したり、消滅したりするように視認することができる。
【図面の簡単な説明】
【００１５】
【図１】本発明の第１の実施形態に係る装飾表示体の分解斜視図である。
【図２】図１の装飾表示体の画素パターンを示す平面図である。
【図３】図１の装飾表示体の各画素パターンを拡大した平面図である。
【図４】図３の画素パターンのＩ−Ｉ線矢視断面図である
【図５】図１の装飾表示体における図柄の見え方を示す平面写真である。
【図６】第２の実施形態に係る装飾表示体の画素パターンを示す平面図である。
【図７】図６の装飾表示体の各画素パターンを拡大した平面図である。
【図８】図７の画素パターンのＩＩ−ＩＩ線矢視断面図である
【図９】図６の装飾表示体における図柄の見え方を示す平面写真である。
【発明を実施するための形態】
【００１６】
＜第１の実施形態＞
次に、本発明に係る装飾表示体の第１の実施形態について図１〜図５を参照しつつ説明する。
【００１７】
本実施形態に係る装飾表示体１は、図１に示すように、アクリル板等の合成樹脂からなる透明素材１０を備え、該透明素材１０の表面に集光素２０ａからなる集光素パターン２０が形成されているとともに、該透明素材１０の裏面にシート材１１を介して３種の画素パターン３１、３２、３３からなる画素パターン３０が形成されている。ここに用いられる透明素材１０は、平面視において正方図柄に形成され、厚みが３．０ｍｍとなされた板状部材である。
【００１８】
前記集光素パターン２０は、図１に示すように、紫外線硬化樹脂等のような無色透明のインキを用いて複数の凸レンズ状の集光素２０ａを透明素材１０の表面に直接印刷して形成されたものである。なお、図１では、説明の便宜上、集光素２０ａを大きく図示しているが、実際にはさらに小さいものである。
【００１９】
この集光素パターン２０は、図３に示すように、集光素２０ａを各集光素２０ａの並びに方向性を持たせて２次元的に配列して形成され、ここでは透明素材１０の平面方向にｘ方向とこれに９０度傾斜したｙ方向に、それぞれ同じ配列ピッチｐで各集光素２０ａをマトリクス状に等配列させて規則正しく形成されている。
【００２０】
なお、本実施形態では、各集光素２０ａの直径が１ｍｍ、配列ピッチｐが１．１ｍｍに設定されている。また、各集光素２０ａの配列方向は、必ずしも９０度の角度をなす必要はなく、一方の配列方向に対する他方の配列方向が９０度より小さい角度または９０度より大きい角度をなすようにしてもよい。
【００２１】
前記画素パターン３０は、紙製等のシート材１１において着色された透明又は不透明インキを用いて複数の平面視円形のドット状（点状）の画素３１ａ、３２ａ、３３ａを印刷し、画素３１ａ、３２ａ、３３ａの印刷面が透明素材１０側となるようにシート材１１を透明素材１０の裏面に貼り合わすことにより、透明素材１０の裏面に形成されている。
【００２２】
この画素パターン３０は、図２に示すように、全体で「ステルス機」の機影Ａ１を構成する第１の画素パターン３１と、全体で「ステルス」の文字Ａ２を構成する第２の画素パターン３２と、それら「ステルス機」の機影Ａ１と「ステルス」の文字Ａ２の背景Ａ３を構成する第３の画素パターン３３とから構成されている。なお、これら第１および第２の各画素パターン３１、３２は、同一のシート材１１の同一平面上に形成されているが、互いに重なっておらず、それぞれの画素パターン３１、３２の領域において各画素３１ａ、３２ａが独自に配列されている。
【００２３】
前記第１の画素パターン３１は、図３（ａ）および図４（ａ）に示すように、複数の画素３１ａを各画素３１ａの並びに方向性を持たせて２次元的に配列して形成され、ここでは集光素２０ａと同じ方向に９０度の角度で、それぞれ同じ配列ピッチｑ１で各画素をマトリクス上に等配列させて規則正しく形成されている。
【００２４】
この第１の画素パターン３１は、各画素３１ａの直径が０．３ｍｍ、配列ピッチｑ１が集光素２０ａの配列ピッチよりも大きい１．１０５ｍｍに設定されている。これにより、透明素材１０のｘ−ｙ方向について、複数個おきに集光素２０ａと画素３１ａが重なる部分と、その周囲の画素３１ａが集光素２０ａから順次外側に位置ずれする部分とが長いスパンで繰り返し生じる。このように画素３１ａの配列ピッチｑ１が集光素２０ａの配列ピッチｐよりも大きくなるように設定されている場合、画素３１ａの拡大虚像が透明素材１０の表面側に現出することになる。
【００２５】
特に、本発明では、画素３１ａの配列ピッチｑ１を集光素２０ａの配列ピッチｐに極めて近い１０２％以下に設定されているため、第１の画素パターン３１の領域の全体または大部分（第１の画素パターン３１の領域の好ましくは８０％以上、さらに好ましくは９０％以上）まで画素の拡大虚像が拡大されてぼやけた状態となり、見る角度によって第１の画素パターン３１の領域に画素３１ａの拡大虚像が見えたり見えなかったりする状態となる。このため、観察者が本装飾表示体１を表面側から角度を変えながら所定距離を隔てて見ると、第１の画素パターン３１からなる「ステルス機」の機影Ａ１が、図５（ａ）（ｂ）に示すように、次第に現出したり、図５（ｂ）（ｃ）に示すように、次第に消滅したりするように視認することができる。
【００２６】
前記第２の画素パターン３２は、同じく図３（ａ）および図４（ａ）に示すように、複数の画素３２ａを各画素３２ａの並びに方向性を持たせて２次元的に配列して形成され、ここでは集光素２０ａと同じ方向に９０度の角度で、それぞれ同じ配列ピッチｑ２で各画素をマトリクス上に等配列させて規則正しく形成されている。
【００２７】
この第２の画素パターン３２は、各画素３２ａの直径が０．３ｍｍ、配列ピッチｑ２が集光素２０ａの配列ピッチよりも大きい１．１０５ｍｍに設定されている。これにより、透明素材１０のｘ−ｙ方向について、複数個おきに集光素２０ａと画素３２ａが重なる部分と、その周囲の画素３２ａが集光素２０ａから順次外側に位置ずれする部分とが長いスパンで繰り返し生じる。このように画素３２ａの配列ピッチｑ２が集光素２０ａの配列ピッチｐよりも大きくなるように設定されている場合、画素３２ａの拡大虚像が透明素材１０の表面側に現出することになる。
【００２８】
特に、本発明では、画素３２ａの配列ピッチｑ２が集光素２０ａの配列ピッチｐに極めて近い１０２％以下に設定されているため、第２の画素パターン３２の領域の全体または大部分（第２の画素パターン３２の領域の好ましくは８０％以上、さらに好ましくは９０％以上）まで画素の拡大虚像が拡大されてぼやけた状態となり、見る角度によって第２の画素パターン３２の領域に画素３２ａの拡大虚像が見えたり見えなかったりする状態となる。このため、観察者が本装飾表示体１を表面側から角度を変えながら所定距離を隔てて見ると、第２の画素パターン３２からなる「ステルス」の文字Ａ２が、図５（ａ）（ｂ）に示すように、次第に現出したり、図５（ｂ）（ｃ）に示すように、次第に消滅したりするように視認することができる。
【００２９】
前記第３の画素パターン３３は、図３（ｂ）および図４（ｂ）に示すように、複数の画素３３ａを各画素３３ａの並びに方向性を持たせて２次元的に配列して形成され、ここでは集光素２０ａと同じ方向に９０度の角度で、それぞれ同じ配列ピッチｑ３で各画素をマトリクス上に等配列させて規則正しく形成されている。
【００３０】
この第３の画素パターン３３は、各画素３３ａの直径が０．３ｍｍ、配列ピッチｑ３が集光素２０ａの配列ピッチよりも小さい１．０４０ｍｍに設定されている。これにより、透明素材１０のｘ−ｙ方向について、複数個おきに集光素２０ａと画素３３ａが重なる部分と、その周囲の画素が集光素２０ａから順次内側に位置ずれする部分とが短いスパンで繰り返し生じる。このように、画素３３ａの配列ピッチｑ３が集光素２０ａの配列ピッチｐよりも小さくなるように設定されている場合、画素３３ａの拡大虚像が透明素材１０の裏面側に現出することになる。この画素３３ａの拡大虚像は、図５に示すように、「ステルス機」の機影Ａ１と「ステルス」の文字Ａ２の背景Ａ３として、従来品と同じく見る位置に制限を受けることなく、揺らぎの少ない静的な状態で、透明素材１０の裏面側に現出する。
【００３１】
而して、観察者が本装飾表示体を表面側から角度を変えながら所定距離を隔てて見ると、図５に示すように、「ステルス機」の機影Ａ１や「ステルス」の文字Ａ２が背景Ａ３の浮かんだ状態で次第に現出したり、次第に消滅したりするように視認することができる。
【００３２】
＜第２の実施形態＞
次に、本発明に係る装飾表示体の第１の実施形態について図６〜図９を参照しつつ説明する。
【００３３】
本実施形態に係る装飾表示体１は、図１と同様に、アクリル板等の合成樹脂からなる透明素材１０を備え、該透明素材１０の表面に集光素２０ａからなる集光素パターン２０が形成されているとともに、該透明素材１０の裏面に複数の画素からなる画素パターン３０が形成されている。ここに用いられる透明素材１０も、平面視において正方図柄に形成され、厚みが３．０ｍｍとなされた板状部材である。
【００３４】
前記集光素パターン２０は、紫外線硬化樹脂等のような無色透明のインキを用いて複数の凸レンズ状の集光素２０ａを透明素材１０の表面に直接印刷して形成されたものである。
【００３５】
この集光素パターン２０は、図７に示すように、集光素２０ａを各集光素２０ａの並びに方向性を持たせて２次元的に配列して形成され、ここでは透明素材１０の平面方向にｘ方向とこれに６０度傾斜したｙ方向に、それぞれ同じ配列ピッチｐで各集光素２０ａをマトリクス状に等配列させて規則正しく形成されている。
【００３６】
なお、本実施形態でも、各集光素２０ａの直径が１ｍｍ、配列ピッチｐが１．１ｍｍに設定されている。また、各集光素２０ａの配列方向は、必ずしも６０度の角度をなす必要はなく、一方の配列方向に対する他方の配列方向が６０度より小さい角度または６０度より大きい角度をなすようにしてもよい。
【００３７】
前記画素パターン３０は、紙製等のシート材１１において着色された透明又は不透明インキを用いて複数の平面視円形のドット状（点状）の画素３４ａ、３５ａを印刷し、画素３４ａ、３５ａの印刷面が透明素材１０側となるようにシート材１１を透明素材１０の裏面に貼り合わすことにより、透明素材１０の裏面に形成されている。
【００３８】
この画素パターン３０は、図６(ａ）に示すように、全体で正面から見た女性の顔（以下、第１の女性の顔Ｂ１という）を構成する第１の画素パターン３４と、全体で斜めから見た女性の顔（以下、第２の女性の顔Ｂ２という）を構成する第２の画素パターン３５とから構成される。これら第１および第２の各画素パターン３４，３５は、同一のシート材１１の同一平面上において、一部が互いに重なって形成されている。
【００３９】
なお、実際の装飾表示体１の画素パターン３０は、図６(ａ）に示すものであるが、説明の便宜上、第１の画素パターン３４のみ抽出したものを図６（ｂ）に示すとともに、第２の画素パターン３５のみ抽出したものを図６（ｃ）に示す。
【００４０】
前記第１の画素パターン３４は、図７（ｂ）および図８（ｂ）に示すように、複数の画素３４ａを各画素３４ａの並びに方向性を持たせて２次元的に配列して形成され、ここでは集光素２０ａと同じ方向に６０度の角度で、それぞれ同じ配列ピッチｑ１で各画素をマトリクス上に等配列させて規則正しく形成されている。
【００４１】
この第１の画素パターン３４は、各画素３４ａの直径が０．４ｍｍ、配列ピッチｑ１が集光素２０ａの配列ピッチよりも大きい１．１０５ｍｍｍｍに設定されている。これにより、透明素材１０のｘ−ｙ方向について、複数個おきに集光素２０ａと画素３４ａが重なる部分と、その周囲の画素３４ａが集光素２０ａから順次外側に位置ずれする部分とが長いスパンで繰り返し生じる。このように画素３４ａの配列ピッチｑ１が集光素２０ａの配列ピッチｐよりも大きくなるように設定されている場合、画素３４ａの拡大虚像が透明素材１０の表面側に現出することになる。
【００４２】
特に、本発明では、画素３４ａの配列ピッチｑ１が集光素２０ａの配列ピッチｐに極めて近い１０２％以下に設定されているため、第１の画素パターン３４の領域の全体または大部分（第１の画素パターン３４の領域の好ましくは８０％以上、さらに好ましくは９０％以上）まで画素３４ａの拡大虚像が拡大されてぼやけた状態となり、見る角度によって第１の画素パターン３４の領域に画素３４ａの拡大虚像が見えたり見えなかったりする状態となる。このため、観察者が本装飾表示体１を表面側から角度を変えながら所定距離を隔てて見ると、第１の画素パターン３４からなる第１の女性の顔Ｂ１が、図９（ａ）に示すように現出したり、図９（ｂ）に示すように消滅したりするように視認することができる。
【００４３】
一方、前記第２の画素パターン３５は、図７（ｃ）および図８（ｃ）に示すように、複数の画素３５ａを各画素３５ａの並びに方向性を持たせて２次元的に配列して形成され、ここでは集光素２０ａと同じ方向に６０度の角度で、それぞれ同じ配列ピッチｑ２で各画素をマトリクス上に等配列させて規則正しく形成されている。
【００４４】
この第２の画素パターン３５は、図７（ｃ）および図８（ｃ）に示すように、各画素３５ａの直径が０．２ｍｍ、配列ピッチｑ２が集光素２０ａの配列ピッチよりも大きい１．１０５ｍｍに設定されている。これにより、透明素材１０のｘ−ｙ方向について、複数個おきに集光素２０ａと画素３５ａが重なる部分と、その周囲の画素３５ａが集光素２０ａから順次外側に位置ずれする部分とが長いスパンで繰り返し生じる。このように画素３５ａの配列ピッチｑ２が集光素２０ａの配列ピッチｐよりも大きくなるように設定されている場合、画素３５ａの拡大虚像が透明素材１０の表面側に現出することになる。
【００４５】
特に、本発明では、画素３５ａの配列ピッチｑ２を集光素２０ａの配列ピッチｐに極めて近い１０２％以下に設定されているため、第２の画素パターン３５の領域の全体または大部分（第２の画素パターン３５の領域の好ましくは８０％以上、さらに好ましくは９０％以上）まで画素３５ａの拡大虚像が拡大されてぼやけた状態となり、見る角度によって第２の画素パターン３５の領域に画素３５ａの拡大虚像が見えたり見えなかったりする状態となる。このため、観察者が本装飾表示体１を表面側から角度を変えながら所定距離を隔てて見ると、第２の画素パターン３５からなる第２の女性の顔Ｂ２が、図９（ｂ）に示すように現出したり、図９（ａ）に示すように消滅したりするように見える。
【００４６】
而して、第１の画素パターン３４と第２の画素パターン３５は、図７（ａ）および図８(ａ）に示すように、互いに重なっている領域において、前記第１の画素パターン３４の各画素３４ａと第２の画素パターン３５の各画素３５ａとを方向性を持たせて同一平面上で２次元的に交互に配列して形成されている。このため見る角度によって第１の画素パターン３４の領域に画素３４ａの拡大虚像のみが見えたり、第２の画素パターン３５の領域に画素３５ａの拡大虚像のみが見えたりする状態となる。よって、観察者が本装飾表示体１を表面側から角度を変えながら所定距離を隔てて見ると、図９に示すように、第１の画素パターン３４からなる第１の女性の顔Ｂ１と、第２の画素パターン３５からなる第２の女性の顔Ｂ２が切り替わるように視認することができる。
【００４７】
また、本実施形態では、第２の画素３５ａの直径に比べて第１の画素３４ａの直径が大きいため、第２の画素パターン３５からなる第２の女性の顔Ｂ２に比べて、第１の画素パターン３４からなる第１の女性の顔Ｂ１が優先的に現出するように視認することができる。
【００４８】
また、上記各実施形態では、各画素３１ａ、３２ａ、３４ａ、３５ａの直径が各集光素２０ａの配列ピッチの５０％以下に設定されているため、各画素３１ａ、３２ａ、３４ａ、３５ａを方向性を持たせて２次元的に確実に配列することができる。但し、各画素の直径をあまり小さくしすぎると、各画素の拡大虚像が画素パターンの領域の全部または大部分（各画素パターンの領域の好ましくは８０％以上、さらに好ましくは９０％以上）に拡大して現出しにくくなるため、各画素の直径が各集光素２０ａの配列ピッチの５％以上、好ましくは１０％以上、さらに好ましくは２０％以上に設定されているのが好ましい。
【００４９】
また、第１の画素パターン３１、３４の各画素３１ａ、３４ａと第２の画素パターン３２、３５の各画素３２ａ、３５ａは、互いに同じ色としてもよいし、互いに異なる色に形成されてもよい。
【００５０】
また、集光素２０ａの直径や配列ピッチは上述のものに限定されるものでないが、直径は０．２〜１．６ｍｍ、配列ピッチは０．３３〜１．７ｍｍであるのが好ましい。
【００５１】
また、各画素３１ａ、３２ａ、３４ａ、３５ａの直径や配列ピッチは上述のものに限定されるものでないが、直径は０．０５〜０．８ｍｍ、配列ピッチは０．３３５〜１．７０５ｍｍであるのが好ましい。
【００５２】
また、透明素材１０の厚さは上述のものに限定されるものではないが、０．３〜１０ｍｍであるのが好ましい。
【００５３】
また、各画素３１ａ、３２ａ、３４ａ、３５ａの配列ピッチが集光素２０ａの配列ピッチｐに極めて近い１０２％以下に設定されるものとしたが、１０１％以下に設定されるのが好ましい。
【００５４】
また、第１の画素パターン３１、３４と第２の画素パターン３２、３５からなる図柄について説明したが、３種以上の複数の画素パターンを構成する図柄が現出したり、消滅したり、あるいは切り替わるものとしてもよい。
【００５５】
また、各画素パターン３１、３２、３４、３５からなる所定の図柄については、上述の図柄に限定されるものではなく、その他の図柄に形成されてもよい。
【００５６】
また、各画素パターン３１、３２、３４、３５は、平面視円形のドット状（点状）に形成されるものとしたが、その他の形状（但し、線状を除く）に形成されてもよい。
【００５７】
また、図３、図７において、説明の便宜上、罫線が図示されているが、実際の画素には該罫線は形成されていない。
【００５８】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００５９】
１・・・装飾表示体
１０・・・透明素材
１１・・・シート材
２０・・・集光素パターン
２０ａ・・・集光素
３０・・・画素パターン
３１・・・第１の画素パターン（ステルス機Ａ１）
３２・・・第２の画素パターン（ステルス文字Ａ２）
３３・・・第３の画素パターン（背景Ａ３）
３１ａ、３２ａ、３３ａ・・・画素
３４・・・第１の画素パターン（第１の女性の顔Ｂ１）
３５・・・第２の画素パターン（第２の女性の顔Ｂ２）
３４ａ、３５ａ・・・画素
【図１】
2017052200.tif 000003
【図２】
2017052200.tif 000004
【図３】
2017052200.tif 000005
【図４】
2017052200.tif 000006
【図５】
2017052200.tif 000007
【図６】
2017052200.tif 000008
【図７】
2017052200.tif 000009
【図８】
2017052200.tif 000010
【図９】
2017052200.tif 000011
【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
シート状または板状の透明素材の表面に、複数の凸レンズ状の集光素を各集光素の並びに方向性を持たせて２次元的に配列して集光素パターンが形成されるとともに、前記透明素材の裏面に、複数の画素を各画素の並びに方向性を持たせて２次元的に配列して画素パターンが形成され、各画素の配列ピッチが各集光素の配列ピッチよりも大きくなるように前記集光素パターンと前記画素パターンとが形成されることにより、前記画素の拡大虚像を透明素材の上方に現出させる装飾表示体であって、 
前記各画素の配列ピッチを前記各集光素の配列ピッチの１０２％以下で配列して、前記各画素全体で所定の図柄を構成する画素パターンが形成され、
各画素の拡大虚像が前記画素パターンの領域の８０％以上に拡大されることを特徴とする装飾表示体。
【請求項２】
前記各画素中の複数の画素の配列ピッチを前記集光素の配列ピッチの１０２％以下で配列して、各画素全体で第１の所定の図柄を構成する第１の画素パターンが形成されるとともに、
前記各画素中の別の複数の画素の配列ピッチを前記集光素の配列ピッチの１０２％以下で配列して、各画素全体で第２の所定の図柄を構成する第２の画素パターンが形成される請求項１に記載の装飾表示体。
【請求項３】
前記第１の画素パターンの各画素と第２の画素パターンの各画素とを方向性を持たせて２次元的に交互に配列して、第１の画素パターンと第２の画素パターンの少なくとも一部が重なって形成される請求項２に記載の装飾表示体。
【請求項４】
前記第１の画素パターンの各画素と第２の画素パターンの各画素の直径が互いに異なるように形成される請求項２または請求項３に記載の装飾表示体。
【請求項５】
前記第１の画素パターンの各画素と第２の画素パターンの各画素の色が互いに異なるように形成される請求項２から請求項４のいずれかに記載の装飾表示体。
【請求項６】
前記各画素は、前記各集光素の配列ピッチの５％〜５０％の直径に形成されている請求項１から請求項５のいずれかに記載の装飾表示体。